(57)【要約】【課題】車載装置とデータ収集装置との間の通信負荷やデータ収集装置の処理負荷を抑制することができるデータ収集装置、データ収集システム、データ収集方法および車載装置を提供する。【解決手段】実施形態の一態様に係るデータ収集装置においては、収集部と、提供部と、受付部とを備える。収集部は、各車両に搭載された車載装置から、車両の周囲を撮像した動画データの内容を示す参考画像を収集する。提供部は、収集部によって収集された参考画像を端末装置へ提供する。受付部は、提供部によって参考画像が提供された端末装置から、参考画像に対応する動画データの提供要求を受け付ける。そして、収集部は、受付部によって提供要求を受け付けた場合、参考画像に対応する動画データを車載装置から収集する。また、提供部は、収集部によって収集された動画データを端末装置へ提供する。【選択図】図２
2020140440.tif 000002
【特許請求の範囲】
【請求項１】
各車両に搭載された車載装置から、車両の周囲を撮像した動画データの内容を示す参考画像を収集する収集部と、
前記収集部によって収集された前記参考画像を端末装置へ提供する提供部と、
前記提供部によって前記参考画像が提供された前記端末装置から、前記参考画像に対応する動画データの提供要求を受け付ける受付部と
を備え、
前記収集部は、
前記受付部によって前記提供要求を受け付けた場合、前記参考画像に対応する動画データを前記車載装置から収集し、
前記提供部は、
前記収集部によって収集された前記動画データを前記端末装置へ提供すること
を特徴とするデータ収集装置。
【請求項２】
前記収集部は、
前記動画データから抽出された静止画を前記参考画像として収集すること
を特徴とする請求項１に記載のデータ収集装置。
【請求項３】
前記収集部は、
前記動画データから時系列で抽出された複数の前記参考画像を収集すること
を特徴とする請求項１または２に記載のデータ収集装置。
【請求項４】
前記収集部は、
前記動画データの収集条件が成立した時点の参考画像、前記収集条件が成立する前の時点の参考画像、および、前記収集条件が成立した後の時点の参考画像の少なくともいずれかを収集すること
を特徴とする請求項１〜３のいずれか一つに記載のデータ収集装置。
【請求項５】
前記収集部は、
前記車載装置において前記参考画像が生成されるタイミングで前記車載装置から前記参考画像を収集すること
を特徴とする請求項１〜４のいずれか一つに記載のデータ収集装置。
【請求項６】
前記収集部は、
所定のイベントが発生したと推定されるイベント発生推定時点の前記参考画像を収集すること
を特徴とする請求項１〜５のいずれか一つに記載のデータ収集装置。
【請求項７】
前記収集部は、
前記受付部によって前記提供要求を受け付けた場合、前記イベント発生推定時点で生成され前記参考画像に対応する動画データであって、前記イベント発生推定時点を含む所定時間範囲の前記動画データを前記車載装置から収集し、
前記提供部は、
前記収集部によって収集された前記所定時間範囲の前記動画データを前記端末装置へ提供すること
を特徴とする請求項６に記載のデータ収集装置。
【請求項８】
請求項１〜７のいずれか一つに記載のデータ収集装置と、
前記データ収集装置に対して車両の周囲を撮像した動画データの内容を示す参考画像を送信する車載装置と、
前記データ収集装置によって収集された前記参考画像を取得する端末装置と
を備えることを特徴とするデータ収集システム。
【請求項９】
各車両に搭載された車載装置から、車両の周囲を撮像した動画データの内容を示す参考画像を収集する収集工程と、
前記収集工程によって収集された参考画像を端末装置へ提供する提供工程と、
前記提供工程によって参考画像が提供された前記端末装置から、参考画像に対応する動画データの提供要求を受け付ける受付工程と
を含み、
前記収集工程は、
前記受付工程によって前記提供要求を受け付けた場合、参考画像に対応する動画データを前記車載装置から収集し、
前記提供工程は、
前記収集工程によって収集された動画データを前記端末装置へ提供すること
を特徴とするデータ収集方法。
【請求項１０】
車両の周囲を撮像した動画データを採取する採取部と、
前記採取部によって採取された前記動画データに基づいて前記動画データの内容を示す参考画像を生成する生成部と、
前記生成部によって生成された前記参考画像をデータ収集装置へ送信する送信部と
を備え、
前記送信部は、
前記データ収集装置が前記参考画像に対応する動画データの提供要求を端末装置から受け付けた場合、前記参考画像に対応する動画データを前記データ収集装置へ送信すること
を特徴とする車載装置。
【発明の詳細な説明】
【技術分野】
【０００１】
本発明は、データ収集装置、データ収集システム、データ収集方法および車載装置に関する。
【背景技術】
【０００２】
従来、各車両に搭載された車載装置から道路情報を収集するデータ収集装置が知られている。かかるデータ収集装置では、各車両の位置情報に基づき、道路情報の収集対象となる車両を選別することで、所望する位置の道路情報を収集する（例えば特許文献１参照）。
【先行技術文献】
【特許文献】
【０００３】
【特許文献１】特開２０１８−０５５５８１号公報
【発明の概要】
【発明が解決しようとする課題】
【０００４】
ところで、車載装置からデータ収集装置に収集されるデータには、動画データが含まれることがある。かかる動画データは、データ容量が比較的大きいことから、車両の台数や動画データの長さによっては、車載装置とデータ収集装置との間の通信負荷が増大するおそれがあった。
【０００５】
また、データ収集装置にあっては、各車両の車載装置からの動画データを全て収集すると、不要な動画データまで収集することとなり、データ収集装置の処理負荷の増大を招くおそれがあった。
【０００６】
このように、従来技術には、車載装置とデータ収集装置との間の通信負荷やデータ収集装置の処理負荷を抑制するという点で改善の余地があった。
【０００７】
本発明は、上記に鑑みてなされたものであって、車載装置とデータ収集装置との間の通信負荷やデータ収集装置の処理負荷を抑制することができるデータ収集装置、データ収集システム、データ収集方法および車載装置を提供することを目的とする。
【課題を解決するための手段】
【０００８】
上記課題を解決し、目的を達成するために、本発明は、データ収集装置において、収集部と、提供部と、受付部とを備える。収集部は、各車両に搭載された車載装置から、車両の周囲を撮像した動画データの内容を示す参考画像を収集する。提供部は、前記収集部によって収集された前記参考画像を端末装置へ提供する。受付部は、前記提供部によって前記参考画像が提供された前記端末装置から、前記参考画像に対応する動画データの提供要求を受け付ける。そして、前記収集部は、前記受付部によって前記提供要求を受け付けた場合、前記参考画像に対応する動画データを前記車載装置から収集する。また、前記提供部は、前記収集部によって収集された前記動画データを前記端末装置へ提供する。
【発明の効果】
【０００９】
本発明によれば、車載装置とデータ収集装置との間の通信負荷やデータ収集装置の処理負荷を抑制することができる。
【図面の簡単な説明】
【００１０】
【図１Ａ】図１Ａは、実施形態に係るデータ収集システムの概要を示す図である。
【図１Ｂ】図１Ｂは、実施形態に係るデータ収集システムの概要を示す図である。
【図１Ｃ】図１Ｃは、実施形態に係るデータ収集システムの概要を示す図である。
【図１Ｄ】図１Ｄは、実施形態に係るデータ収集システムの概要を示す図である。
【図２】図２は、実施形態に係るデータ収集システムの構成例を示すブロック図である。
【図３】図３は、収集データの一例を示す図である。
【図４】図４は、利用者端末の画面の一例を示す図である。
【図５】図５は、利用者端末の画面の変形例を示す図である。
【図６】図６は、実施形態に係るデータ収集装置が実行する処理の処理手順を示すフローチャートである。
【発明を実施するための形態】
【００１１】
以下、添付図面を参照して、本願の開示するデータ収集装置、データ収集システム、データ収集方法および車載装置の実施形態を詳細に説明する。なお、以下に示す実施形態によりこの発明が限定されるものではない。
【００１２】
まず、実施形態に係るデータ収集システムの概要について、図１Ａ〜図１Ｄを用いて説明する。図１Ａ〜図１Ｄは、実施形態に係るデータ収集システムの概要を示す図である。
【００１３】
図１Ａに示すように、実施形態に係るデータ収集システム１は、データ収集装置１０と、車両Ｖ−１，Ｖ−２，Ｖ−３…にそれぞれ搭載された車載装置１００−１，１００−２，１００−３…と、利用者端末２００とを含む。なお、以下では、車両全般を指す場合には「車両Ｖ」と、また、車載装置全般を指す場合には「車載装置１００」と、それぞれ記載する。
【００１４】
また、以下では、車両Ｖが自動運転車両であり、各車両Ｖにそれぞれ搭載された車両制御モデルによって自動運転制御されるものとするが、これに限定されるものではない。すなわち、車両Ｖは、自動運転制御されない車両であってもよい。
【００１５】
データ収集装置１０は、例えばインターネットや携帯電話回線網等のネットワークを介したクラウドサービスを提供するクラウドサーバとして構成され、データ利用者から車両Ｖに関するデータ（以下、車両データと記載する）の収集要求を受け付けるとともに、受け付けた収集要求に基づき、各車載装置１００から車両データを収集する。そして、データ収集装置１０は、収集された車両データを利用者へ提供する。
【００１６】
車載装置１００は、例えばカメラ、加速度センサ、ＧＰＳ（Global  Positioning  System）センサ、車速センサ、アクセルセンサ、ブレーキセンサ、操舵角センサといった各種センサ、記憶デバイス、マイクロコンピュータなどを有する装置であって、データ収集装置１０が受け付けた収集要求を取得し、かかる収集要求に応じた車両データを車両Ｖから取得する。
【００１７】
上記したカメラは、例えば車両Ｖの周囲を撮像して動画データを出力することができる。また、加速度センサは車両Ｖに作用する加速度を検出し、ＧＰＳセンサは、車両Ｖの位置を検出する。車速センサは、車両Ｖの車速を検出する。また、アクセルセンサは、アクセルペダルの操作量を検出し、ブレーキセンサは、ブレーキペダルの操作量を検出する。また、操舵角センサは、車両Ｖのハンドルの操舵角を検出する。なお、車載装置１００としては、例えばドライブレコーダを用いることができる。
【００１８】
また、車載装置１００は、取得した車両データをデータ収集装置１０へ適宜アップロードする。このようにドライブレコーダを車載装置１００として兼用することによって、車両Ｖへ搭載する車載部品を効率化することができる。なお、兼用することなく、車載装置１００とドライブレコーダとを別体で構成してもよい。
【００１９】
利用者端末２００は、データ利用者が利用する端末であり、例えばノート型ＰＣ（Personal  Computer）や、デスクトップ型ＰＣ、タブレット端末、ＰＤＡ（Personal  Digital  Assistant）、スマートフォン、眼鏡型や時計型の情報処理端末であるウェアラブルデバイス（wearable  device）などである。なお、利用者端末２００は、端末装置の一例である。
【００２０】
実施形態に係るデータ収集システム１では、利用者端末２００を介して指定された収集条件を元に、データ収集装置１０が車載装置１００から車両データを収集し、利用者端末２００へ提供することができる。そして、利用者端末２００のデータ利用者は、提供された車両データを用いることで、車両データを収集した車両Ｖの挙動や車両Ｖに発生した事象などを分析することができる。
【００２１】
以下、図１Ａ〜図１Ｄを用いて、データ収集システム１においてデータ利用者へ車両データが提供されるまでの一連の流れについて説明する。図１Ａに示すように、まずデータ利用者は、データ収集装置１０と接続された利用者端末２００により収集条件を指定する。
【００２２】
ここで、上記した収集条件には、収集のトリガとなる条件など各種パラメータが含まれ、かかる収集のトリガとなる条件の一例としては、例えば車両Ｖにおいて自動運転が実行されている状態から自動運転が解除された状態になった場合であるが、これに限られない。すなわち、トリガとなる条件は、車速が所定速を超えた場合などその他の条件であってもよい。
【００２３】
また、収集条件が指定される際に、データ収集装置１０は、収集することとなる実データＲ（車両データの一例）に付加され、かかる実データＲの検索や概要把握に用いられるインデックスデータとしての特性を有するタグデータＴの生成用データを生成する。すなわち、タグデータＴとは、実データＲがメタ情報化されたメタデータである。なお、かかるタグデータＴの生成用データは、利用者端末２００あるいはデータ収集装置１０に記憶されたプログラムや生成用データを用いつつ、データ利用者の操作に基づいて生成される。
【００２４】
そして、指定された収集条件や、生成されたタグデータＴの生成用データは、データ収集装置１０に記憶されるとともに、データ収集の対象となる車両Ｖへ配信されて、車載装置１００にも記憶される。
【００２５】
次に、各車載装置１００は、各種センサの出力データを監視し、記憶している収集条件を満たすイベント（ここでは、例えば自動運転の解除）が発生した場合に、出力データや動画データ等の実データＲを記憶デバイスに記憶する。
【００２６】
ところで、上記した動画データは、データ容量が比較的大きいことから、例えば仮に、動画データ全てを車載装置１００からデータ収集装置１０へ送信すると、車載装置１００とデータ収集装置１０との間の通信負荷やデータ収集装置１０の処理負荷が増大するおそれがあった。
【００２７】
そこで、本実施形態にあっては、車載装置１００とデータ収集装置１０との間の通信負荷やデータ収集装置１０の処理負荷を抑制することができるような構成とした。以下、詳しく説明すると、車載装置１００は、動画データに基づいて、動画データの内容を示す参考画像を生成し、参考画像を実データＲに関連付けて記憶デバイスに記憶する。
【００２８】
ここで、上記した参考画像は、動画データに比べてデータ容量が低い画像であるものとする。参考画像としては、例えば動画データの一部を抽出した静止画を用いることができるが、これに限定されるものではない。すなわち、参考画像は、データ容量が動画データより低いデータであればよく、動画データから抽出される比較的短い時間の動画データや画質を落とした動画データなどであってもよい。
【００２９】
本実施形態では、データ収集装置１０が、まず参考画像を収集して利用者端末２００へ提供し、利用者端末２００から動画データの提供要求を受け付けた場合に、動画データを車載装置１００から収集して利用者端末２００へ提供することで、上記した通信負荷や処理負荷を抑制するが、これについては後に詳しく説明する。
【００３０】
各車載装置１００は、記憶しているタグデータＴの生成用データと実データＲとに基づき、当該実データＲに対応するタグデータＴを生成して記憶する。そして、各車載装置１００は、タグデータＴをデータ収集装置１０にアップロードし、データ収集装置１０はそのタグデータＴを記憶する。なお、このとき、実データＲは、データ収集装置１０へはアップロードされない。つまり、図１Ａに示すように、データ収集装置１０は、タグデータＴのみを保有した状態となる。
【００３１】
そして、データ利用者が、利用者端末２００により、収集状況の確認や実データＲの収集のためにデータ収集装置１０と接続すると、データ収集装置１０により収集されたタグデータＴに基づくメタ情報が利用者端末２００に表示される。
【００３２】
そして、図１Ｂに示すように、データ利用者が、利用者端末２００により、収集する実データＲに対応するタグデータＴを指定すると、データ収集装置１０を介して該当の車載装置１００へ実データＲを指定する指示データが送信される。
【００３３】
その後、図１Ｃに示すように、指定された実データＲが、各車載装置１００からデータ収集装置１０へアップロードされ、データ収集装置１０に収集されて記憶される。また、実データＲに関連付けられた参考画像も、各車載装置１００からデータ収集装置１０へアップロードされ、データ収集装置１０に収集されて記憶される。なお、このとき、動画データは、データ収集装置１０へはアップロードされない。
【００３４】
そして、データ利用者が、利用者端末２００により、データ収集装置１０に記憶された実データＲにアクセスして、かかる実データＲや参考画像の閲覧やダウンロードなどを行う。
【００３５】
なお、車載装置１００のデータ容量の観点からは、データ収集装置１０にアップロードされた実データＲおよびこれに対応するタグデータＴは、データ収集装置１０へのアップロード後に車載装置１００から削除されることが好ましい。
【００３６】
また、タグデータＴは、実データＲの一部を単純に抜粋したようなデータではなく、データ利用者が参照したときに実データＲの概要を把握し、実データＲの要否を判断できる程度にメタ情報化されていることが好ましい。
【００３７】
そして、図１Ｄに示すように、データ利用者は、提供された参考画像を確認し、参考画像に対応する動画データの閲覧を所望する場合、データ利用者による利用者端末２００の操作に応じて、利用者端末２００からデータ収集装置１０に対して動画データの提供要求が出力される。
【００３８】
データ収集装置１０は、利用者端末２００から提供要求を受け付けると、かかる提供要求を車載装置１００に配信し、参考画像に対応する動画データを車載装置１００から収集する。そして、データ収集装置１０は、収集された動画データを利用者端末２００へ提供する。
【００３９】
このように、本実施形態に係るデータ収集装置１０は、データ利用者が所望する動画データを車載装置１００から収集する一方、データ利用者が所望しない動画データ、言い換えると、提供要求を受け付けていない動画データは収集しないようにした。
【００４０】
これにより、本実施形態にあっては、車載装置１００とデータ収集装置１０との間の通信負荷やデータ収集装置１０の処理負荷を、収集しない動画データの分だけ抑制することができる。
【００４１】
以下、実施形態に係るデータ収集システム１の構成例について、より具体的に説明する。
【００４２】
図２は、実施形態に係るデータ収集システム１の構成例を示すブロック図である。なお、図２では、実施形態の特徴を説明するために必要な構成要素のみを表しており、一般的な構成要素についての記載を省略している。
【００４３】
換言すれば、図２に図示される各構成要素は機能概念的なものであり、必ずしも物理的に図示の如く構成されていることを要しない。例えば、各ブロックの分散・統合の具体的形態は図示のものに限られず、その全部または一部を、各種の負荷や使用状況などに応じて、任意の単位で機能的または物理的に分散・統合して構成することが可能である。
【００４４】
また、図２を用いた説明では、既に説明済みの構成要素については、説明を簡略するか、省略する場合がある。
【００４５】
図２に示すように、実施形態に係るデータ収集システム１は、データ収集装置１０と、車載装置１００と、利用者端末２００とを含む。
【００４６】
まず、データ収集装置１０から説明する。データ収集装置１０は、通信部１１と、記憶部１２と、制御部１３とを備える。
【００４７】
通信部１１は、例えば、ＮＩＣ（Network  Interface  Card）等によって実現される。通信部１１は、ネットワークＮと有線または無線で接続され、ネットワークＮを介して、車載装置１００や、利用者端末２００との間で情報の送受信を行う。
【００４８】
記憶部１２は、例えば、ＲＡＭ（Random  Access  Memory）、フラッシュメモリ（Flash  Memory）等の半導体メモリ素子、または、ハードディスク、光ディスク等の記憶装置によって実現され、図２の例では、収集条件情報ＤＢ１２ａと、収集データＤＢ１２ｂとを記憶する。
【００４９】
収集条件情報ＤＢ１２ａは、利用者端末２００から指定され、後述する受付部１３ａによって受け付けられた収集条件が蓄積される。すなわち、収集条件情報ＤＢ１２ａは、収集条件に関する過去の実績を含む。
【００５０】
収集条件には、車両データの収集に関する各種パラメータが含まれる。例えば、各種パラメータは、対象となる車両Ｖの識別子や、収集対象となるデータの種別、収集のトリガとなる条件、収集する期間などである。
【００５１】
収集データＤＢ１２ｂは、後述する収集部１３ｃによって各車載装置１００から収集された収集データが蓄積される。すなわち、収集データＤＢ１２ｂは、収集データの過去の実績を含む。なお、収集データは、前述のタグデータＴや実データＲ、参考画像、動画データなどを含む。
【００５２】
ここで、図３を用いて、収集データＤＢ１２ｂに格納される収集データについて説明する。図３は、収集データの一例を示す図である。図３に示すように、収集データには、「タグＩＤ」、「車両ＩＤ」、「参考画像」、「動画データ」、「車速」、「アクセル」、「ブレーキ」、および「操舵角」等の項目が含まれる。
【００５３】
「タグＩＤ」は、タグデータＴを識別する識別情報である。「車両ＩＤ」は、車両Ｖを識別する識別情報である。「参考画像」は、参考画像を示す情報である。なお、図３に示す例では、便宜上、「参考画像」を「画像Ｂ１」といったように抽象的な記載とするが、「画像Ｂ１」には具体的な情報が記憶されるものとする。以下、他の情報についても抽象的に記載する場合がある。
【００５４】
「動画データ」は、カメラによって撮像された動画データを示す情報である。「車速」は、車両Ｖの車速を示す情報である。「アクセル」は、アクセルペダルの操作量を示す情報であり、「ブレーキ」は、ブレーキペダルの操作量を示す情報である。また、「操舵角」は、車両Ｖのハンドルの操舵角を示す情報である。
【００５５】
図３に示す例において、タグＩＤ「Ｔ１」で識別されるデータは、車両ＩＤが「Ａ０１」、参考画像が「画像Ｂ１」、動画データが「動画Ｃ１」、車速が「車速Ｄ１」、アクセルが「Ｅ１」、ブレーキが「ブレーキＦ１」、操舵角が「操舵角Ｇ１」であることを示している。
【００５６】
なお、タグＩＤ「Ｔ２」で識別されるデータにおいては、「動画データ」が格納されていないことを示している。これは、例えば参考画像の「画像Ｂ２」を確認したデータ利用者が、画像Ｂ２に対応する動画データは不要と判断して、利用者端末２００からの提供要求がなされず、よって動画データが格納されていないことを示している。
【００５７】
図２の説明に戻ると、制御部１３は、コントローラ（controller）であり、例えば、ＣＰＵ（Central  Processing  Unit）やＭＰＵ（Micro  Processing  Unit）等によって、データ収集装置１０内部の記憶デバイスに記憶されている各種プログラムがＲＡＭを作業領域として実行されることにより実現される。また、制御部１３は、例えば、ＡＳＩＣ（Application  Specific  Integrated  Circuit）やＦＰＧＡ（Field  Programmable  Gate  Array）等の集積回路により実現することができる。
【００５８】
制御部１３は、受付部１３ａと、配信部１３ｂと、収集部１３ｃと、提供部１３ｄとを備え、以下に説明する情報処理の機能や作用を実現または実行する。
【００５９】
受付部１３ａは、データ利用者により、利用者端末２００から指定された収集条件を通信部１１を介して受け付け、配信部１３ｂへ通知する。また、受付部１３ａは、データ利用者により指定された収集条件を収集条件情報ＤＢ１２ａへ格納する。
【００６０】
また、受付部１３ａは、利用者端末２００から、参考画像に対応する動画データの提供要求を受け付け、収集部１３ｃへ通知することができる。
【００６１】
配信部１３ｂは、収集条件情報ＤＢ１２ａへ格納され、データ利用者によって指定された収集条件を、対象車両となる車両Ｖへ、例えばファイル形式で通信部１１を介して配信する。
【００６２】
収集部１３ｃは、配信部１３ｂによって配信された収集条件に基づいて取得された車両データであって、車載装置１００からアップロードされるタグデータＴや実データＲを、通信部１１を介して収集し、収集データとして収集データＤＢ１２ｂへ蓄積する。
【００６３】
例えば、収集部１３ｃは、動画データの内容を示す参考画像を車載装置１００から収集する。詳しくは、収集部１３ｃは、例えば動画データの一部を抽出した静止画（換言すればスクリーンショット）を参考画像として収集し、収集データＤＢ１２ｂへ蓄積する。
【００６４】
本実施形態にあっては、動画データよりデータ容量が低い静止画を参考画像として収集することで、例えば車載装置１００とデータ収集装置１０との間の通信負荷やデータ収集装置１０の処理負荷を抑制することができる。
【００６５】
また、収集部１３ｃは、後述するように、車載装置１００において参考画像が生成されるタイミングで車載装置１００から参考画像を収集するようにしてもよい。これにより、参考画像が車載装置１００からデータ収集装置１０へ送信されるタイミングが分散されることとなり、結果として車載装置１００とデータ収集装置１０との間の通信負荷を抑制することができる。
【００６６】
また、上記した参考画像は、動画データの内容をデータ利用者が容易に把握できる画像であることが好ましい。そこで、本実施形態にあっては、例えば、収集データである動画データの収集条件が成立した時点、ここでは自動運転が解除された時点の参考画像（静止画）を用いるようにした。
【００６７】
これにより、参考画像には、例えば自動運転が解除されたときの車両Ｖの周囲の様子が示されることとなるため、参考画像を確認したデータ利用者に対し、動画データの内容を容易に把握させることが可能となる。
【００６８】
また、収集部１３ｃは、例えば所定のイベントが発生したと推定されるイベント発生推定時点の参考画像を収集してもよい。イベント発生推定時点は、例えば、上記した収集条件が成立した時点や、実データＲが所定変化率や所定変化量を超えるなど実データＲが急変した時点等、車両Ｖにおいて何らかのイベント（事象）が発生したと推定される時点である。
【００６９】
これにより、参考画像には、例えば所定のイベントが発生した時点の特徴的な車両Ｖの周囲の様子が示されることとなるため、参考画像を確認したデータ利用者に対し、動画データの内容を容易に把握させることが可能となる。なお、所定のイベントは、上記した収集条件の成立や実データＲの急変に限定されるものではない。
【００７０】
また、収集部１３ｃは、受付部１３ａによって提供要求を受け付けた場合、参考画像に対応する動画データを車載装置１００から収集し、収集データＤＢ１２ｂへ蓄積する。
【００７１】
また、収集部１３ｃは、上記したイベント発生推定時点の参考画像を収集し、かつ、受付部１３ａによって提供要求を受け付けた場合、イベント発生推定時点で生成され参考画像に対応する動画データであって、イベント発生推定時点を含む所定時間範囲の動画データを車載装置１００から収集し、収集データＤＢ１２ｂへ蓄積してもよい。なお、所定時間範囲は、例えばイベント発生推定時点に対して第１所定時間前から第２所定時間経過後までなど任意の時間範囲に設定されるが、これに限られない。また、上記した第１所定時間と第２所定時間は、同じ値であっても異なる値であってもよい。
【００７２】
提供部１３ｄは、収集データＤＢ１２ｂに蓄積された収集データを、例えば利用者端末２００に対して提供する。例えば、提供部１３ｄは、指定された実データＲや、実データＲに関連付けられた参考画像を利用者端末２００へ提供する。
【００７３】
ここで、図４を用いて、実データＲや参考画像が提供された利用者端末２００について説明する。図４は、参考画像が提供された利用者端末２００の画面２０１の一例を示す図である。
【００７４】
図４に示すように、提供部１３ｄから提供される収集データなどにより、利用者端末２００の画面２０１には、参考画像２１０、グラフ情報２２０、地図情報２３０などが表示される。
【００７５】
グラフ情報２２０は、実データＲに含まれるデータであり、車両Ｖの車速やアクセルなどを示す情報である。なお、図４においてグラフ情報２２０として、車速、アクセル、ブレーキおよび操舵角を示したが、これらはあくまでも例示であって限定されるものではない。地図情報２３０は、実データＲに含まれるデータであり、地図上の車両Ｖの位置などを示す情報である。
【００７６】
データ利用者は、参考画像２１０やグラフ情報２２０、地図情報２３０など確認し、参考画像２１０に対応する動画データを所望する場合、例えば参考画像２１０のボタン２１０ａを操作する。これにより、利用者端末２００からデータ収集装置１０に対し、提供要求が出力されることとなる。
【００７７】
なお、図４に示す例では、参考画像２１０が１つであるが、これに限定されるものではない。図５は、利用者端末２００の画面２０１に表示される参考画像の変形例を示す図である。なお、図５に示す例では、地図情報２３０の図示を省略している。
【００７８】
図５に示すように、複数（ここでは３つ）の参考画像２１０を利用者端末２００の画面２０１に表示させるように構成してもよい。例えば、収集部１３ｃ（図２参照）は、動画データから時系列で抽出された複数の参考画像２１１，２１０，２１２を収集し、かかる参考画像２１１，２１０，２１２を画面２０１に表示させてもよい。なお、図５の例では、参考画像２１１、参考画像２１０、参考画像２１２の順で時系列に並んでいる。
【００７９】
これにより、例えば自動運転が解除されたときの車両Ｖの周囲の様子を時系列で示すことが可能になり、よって参考画像２１１，２１０，２１２を確認したデータ利用者に対し、動画データの内容を容易に把握させることが可能となる。
【００８０】
より詳しくは、収集部１３ｃは、動画データの収集条件が成立した時点（ここでは自動運転が解除された時点）の参考画像２１０、収集条件が成立する前の時点の参考画像２１１、および、収集条件が成立した後の時点の参考画像２１２を収集し、これらの参考画像２１１，２１０，２１２を画面２０１に表示させてもよい。
【００８１】
なお、参考画像２１１は、収集条件が成立する前の時点であって、例えば収集条件が成立する予兆となるようなトリガが発生したときの画像であるが、これに限定されるものではない。なお、予兆となるようなトリガの例としては、例えば車両Ｖの側方から他車両の接近を検出した場合や、前方車両との車間距離が所定値以下になった場合などである。
【００８２】
また、参考画像２１２は、収集条件が成立した後の時点であって、例えば収集条件が成立してから所定時間が経過したときの画像である。
【００８３】
本実施形態にあっては、上記した参考画像２１１，２１０，２１２を画面２０１に表示させることで、データ利用者に対し、動画データの内容をより一層容易に把握させることが可能となる。
【００８４】
なお、図５の例では、参考画像２１１，２１０，２１２の３つを収集して表示させるようにしたが、参考画像２１１，２１０，２１２の少なくともいずれかを収集して表示させてもよい。
【００８５】
図２の説明に戻ると、提供部１３ｄは、例えば参考画像２１０のボタン２１０ａ（図４参照）が操作されて提供要求を受け付けると、提供要求に応じて収集部１３ｃで収集された動画データを利用者端末２００へ提供する。
【００８６】
このように、本実施形態にあっては、データ利用者とって不要な動画データ、すなわち提供要求がなされない動画データは、データ収集装置１０によって収集されないことから、車載装置１００とデータ収集装置１０との間の通信負荷やデータ収集装置１０の処理負荷を、収集しない動画データの分だけ抑制することができる。
【００８７】
また、収集部１３ｃによってイベント発生推定時点の参考画像が収集され、かかる参考画像のボタン２１０ａ（図４参照）が操作されて提供要求を受け付けた場合、収集部１３ｃによってイベント発生推定時点を含む所定時間範囲の動画データが収集され、そして提供部１３ｄは、かかる所定時間範囲の動画データを利用者端末２００へ提供する。
【００８８】
これにより、データ利用者は、イベント発生推定時点で生成され、イベント発生推定時点を含む所定時間範囲の動画データ、言い換えると、イベント発生推定時点の前後の動画データを確実に閲覧してイベントの詳細などを確認することができる。
【００８９】
次に、車載装置１００について説明する。車載装置１００は、通信部１０１と、記憶部１０２と、制御部１０３とを備える。また、車載装置１００は、上述したように、カメラ、加速度センサ、ＧＰＳセンサなどの各種センサ１５０が接続される。
【００９０】
通信部１０１は、通信部１１と同様に、例えばＮＩＣ等によって実現される。通信部１０１は、ネットワークＮと無線で接続され、ネットワークＮを介して、データ収集装置１０との間で情報の送受信を行う。また、通信部１０１は、各種センサ１５０の出力データを受信する。
【００９１】
記憶部１０２は、記憶部１２と同様に、例えば、ＲＡＭ、フラッシュメモリ等の半導体メモリ素子、または、ハードディスク、光ディスク等の記憶装置によって実現され、図２の例では、収集条件情報１０２ａと、車両データ情報１０２ｂとを記憶する。
【００９２】
収集条件情報１０２ａは、データ収集装置１０から配信された収集条件を含む情報である。車両データ情報１０２ｂは、後述する採取部１０３ｃによって採取された車両データを含む情報である。なお、車両データは、前述のタグデータＴや実データＲ、参考画像、動画データなどを含む。
【００９３】
制御部１０３は、制御部１３と同様に、コントローラであり、例えば、ＣＰＵやＭＰＵ等によって、車載装置１００内部の記憶デバイスに記憶されている各種プログラムがＲＡＭを作業領域として実行されることにより実現される。また、制御部１０３は、例えば、ＡＳＩＣやＦＰＧＡ等の集積回路により実現することができる。
【００９４】
制御部１０３は、取得部１０３ａと、検出部１０３ｂと、採取部１０３ｃと、生成部１０３ｄと、アップロード部１０３ｅとを備え、以下に説明する情報処理の機能や作用を実現または実行する。
【００９５】
取得部１０３ａは、データ収集装置１０から配信された収集条件を取得し、収集条件情報１０２ａへ格納する。検出部１０３ｂは、各種センサ１５０からの出力データを監視し、収集条件においてトリガとなる事象の発生を検出する。
【００９６】
例えば検出部１０３ｂは、収集条件において車両データを採取するトリガとなる事象の発生を検出した場合に（ここでは自動運転の解除が行われた場合に）、採取部１０３ｃに車両データを採取させる。また、例えば検出部１０３ｂは、収集条件において車両データをデータ収集装置１０へアップロードさせるトリガとなる事象の発生を検出した場合に、アップロード部１０３ｅに車両データをアップロードさせる。
【００９７】
採取部１０３ｃは、検出部１０３ｂによって車両データを採取するトリガの発生が検出された場合に、各種センサ１５０の出力データに基づく車両データを採取して車両データ情報１０２ｂへ格納する。かかる車両データには、動画データが含まれる。また、採取部１０３ｃは、検出部１０３ｂによって車両データの採取を停止するトリガの発生が検出された場合に、車両データの採取を停止する。
【００９８】
生成部１０３ｄは、採取部１０３ｃによって採取された動画データに基づいて参考画像を生成し、生成した参考画像を動画データに関連付けて車両データ情報１０２ｂへ格納する。例えば、生成部１０３ｄは、動画データの一部を抽出した静止画を参考画像として生成することができる。
【００９９】
また、例えば、生成部１０３ｄは、上記した収集条件の成立や実データＲが急変した場合に所定のイベントが発生したと推定し、かかる時点（イベント発生推定時点）の参考画像（例えば静止画）を動画データから抽出することで、イベント発生推定時点の参考画像を生成してもよい。
【０１００】
また、例えば、生成部１０３ｄは、イベント発生推定時点の参考画像を生成した場合、イベント発生推定時点で、イベント発生推定時点を含む所定時間範囲の動画データを生成（編集）して、かかる動画データとイベント発生推定時点の参考画像とを関連付けて車両データ情報１０２ｂへ格納してもよい。
【０１０１】
アップロード部１０３ｅは、検出部１０３ｂによって車両データをアップロードするトリガの発生が検出された場合に、車両データ情報１０２ｂに格納された車両データをデータ収集装置１０へアップロードする（送信する）。なお、アップロード部１０３ｅは、送信部の一例である。
【０１０２】
例えば、アップロード部１０３ｅは、生成部１０３ｄによって生成された参考画像をデータ収集装置１０へアップロードすることができる。そして、アップロード部１０３ｅは、参考画像に対応する動画データの提供要求を受け付けると、かかる動画データをデータ収集装置１０へアップロードすることができる。
【０１０３】
また、例えば、アップロード部１０３ｅは、生成部１０３ｄによって生成されたイベント発生推定時点の参考画像をデータ収集装置１０へアップロードすることができる。そして、アップロード部１０３ｅは、かかる参考画像に対応する動画データの提供要求を受け付けると、イベント発生推定時点を含む所定時間範囲の動画データをデータ収集装置１０へアップロードすることができる。
【０１０４】
次に、図６を用いて、実施形態に係るデータ収集装置１０が実行する処理の処理手順について説明する。図６は、実施形態に係るデータ収集装置１０が実行する処理の処理手順を示すフローチャートであり、詳しくはデータ収集装置１０が実行する参考画像や動画データの収集処理などの手順を示すフローチャートである。
【０１０５】
図６に示すように、まず、データ収集装置１０の制御部１３は、参考画像を車載装置１００から収集する（ステップＳ１０）。そして、制御部１３は、収集された参考画像をデータ利用者の指定により利用者端末２００へ提供する（ステップＳ１１）。
【０１０６】
次いで、制御部１３は、参考画像に対応する動画データに対し、提供要求があるか否かを判定する（ステップＳ１２）。制御部１３は、参考画像に対応する動画データに対し、提供要求がないと判定された場合（ステップＳ１２，Ｎｏ）、ステップＳ１２の処理を繰り返す。
【０１０７】
一方、制御部１３は、提供要求があると判定された場合（ステップＳ１２，Ｙｅｓ）、参考画像に対応する動画データを車載装置１００から収集する（ステップＳ１３）。次いで、制御部１３は、収集された動画データを利用者端末２００へ提供する（ステップＳ１４）。
【０１０８】
上述してきたように、実施形態に係るデータ収集装置１０は、収集部１３ｃと、提供部１３ｄと、受付部１３ａとを備える。収集部１３ｃは、各車両Ｖに搭載された車載装置１００から、車両Ｖの周囲を撮像した動画データの内容を示す参考画像を収集する。提供部１３ｄは、収集部１３ｃによって収集された参考画像を利用者端末２００（端末装置の一例）へ提供する。受付部１３ａは、提供部１３ｄによって参考画像が提供された利用者端末２００から、参考画像に対応する動画データの提供要求を受け付ける。
【０１０９】
そして、収集部１３ｃは、受付部１３ａによって提供要求を受け付けた場合、参考画像に対応する動画データを車載装置１００から収集する。また、提供部１３ｄは、収集部１３ｃによって収集された動画データを利用者端末２００へ提供する。これにより、車載装置１００とデータ収集装置１０との間の通信負荷やデータ収集装置１０の処理負荷を抑制することができる。
【０１１０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１１１】
１    データ収集システム
１０    データ収集装置
１３ａ  受付部
１３ｃ  収集部
１３ｄ  提供部
１００    車載装置
２００    利用者端末
【図１Ａ】
2020140440.tif 000003
【図１Ｂ】
2020140440.tif 000004
【図１Ｃ】
2020140440.tif 000005
【図１Ｄ】
2020140440.tif 000006
【図２】
2020140440.tif 000007
【図３】
2020140440.tif 000008
【図４】
2020140440.tif 000009
【図５】
2020140440.tif 000010
【図６】
2020140440.tif 000011